(57)【要約】【課題】枠アタッチメントの取付作業性および取付位置精度を向上できる枠アタッチメントの取付構造を提供すること。【解決手段】取付構造１０は、引き違い窓１の下枠４の下面４１に沿って配置される枠アタッチメント２０と、建物躯体２に取付可能な仮固定用の治具３０とによって構成される。枠アタッチメント２０は、下枠４に係合可能な室外側係合部２６と、室外側係合部２６よりも室内側に位置した室内側係合部２７および被ガイド部２８とを有する。治具３０は、室内側係合部２７が係合される治具係合部３１と、室内側係合部２７および治具係合部３１が非係合状態となるガイド開始位置３２側から室内側係合部２７および治具係合部３１が係合状態となるガイド終了位置３３側に向かって被ガイド部２８を案内するガイド部３４とを有している。【選択図】図２
2018178458.tif 000002
【特許請求の範囲】
【請求項１】
上枠、下枠および左右の縦枠が枠組みされた枠体を備えた建具の前記下枠の下面に沿って配置される枠アタッチメントと、
建物躯体に取付可能な仮固定用の治具とによって構成され、
前記枠アタッチメントは、前記下枠に係合可能な室外側係合部と、前記室外側係合部よりも室内側に位置した室内側係合部および被ガイド部とを有し、
前記治具は、前記室内側係合部が係合される治具係合部と、前記室内側係合部および前記治具係合部が非係合状態となるガイド開始位置側から前記室内側係合部および前記治具係合部が係合状態となるガイド終了位置側に向かって前記被ガイド部を案内するガイド部とを有している
ことを特徴とする枠アタッチメントの取付構造。
【請求項２】
請求項１に記載の枠アタッチメントの取付構造において、
前記治具係合部は、前記ガイド部に対して下方に位置している
ことを特徴とする枠アタッチメントの取付構造。
【請求項３】
請求項１または請求項２に記載の枠アタッチメントの取付構造において、
前記ガイド部は、室内側に向かって斜め上に傾斜したガイド面を有している
ことを特徴とする枠アタッチメントの取付構造。
【請求項４】
請求項１から請求項３のいずれか一項に記載の枠アタッチメントの取付構造において、
前記被ガイド部は、室内側に向かって斜め上に傾斜した当接片部を有している
ことを特徴とする枠アタッチメントの取付構造。
【請求項５】
請求項１から請求項４のいずれか一項に記載の枠アタッチメントの取付構造において、
前記枠アタッチメントは、枠アタッチメント本体と、前記枠アタッチメント本体に取り付けられた係合部材とを備え、
前記枠アタッチメント本体は、前記被ガイド部および前記室内側係合部を有し、
前記係合部材は、前記室外側係合部を有している
ことを特徴とする枠アタッチメントの取付構造。
【発明の詳細な説明】
【技術分野】
【０００１】
本発明は、各種の窓などの建具を支える枠アタッチメントの取付構造に関する。
【背景技術】
【０００２】
従来、建物躯体に取り付けられる枠体と、枠体の内側に配置された障子を備えたサッシが知られている（特許文献１参照）。
枠体は、上下に配置される横枠と左右に配置される縦枠とを有しており、下側の横枠（下枠）は、鉤状の固定部を有しており、この固定部には、枠体を支える補強部材（枠アタッチメント）が取り付けられている。
補強部材は、横片部および縦片部を有して断面略Ｌ字形状に形成されており、横片部の室外端部が固定部に係合され、縦片部が建物躯体にビス止めされることによって固定されている。
【先行技術文献】
【特許文献】
【０００３】
【特許文献１】特許第５３７２７１２号公報
【発明の概要】
【発明が解決しようとする課題】
【０００４】
ところで、前述した補強部材を取り付ける場合には、先ず横片部の室外端部を固定部に係合し、この状態で補強部材を下枠に押し当て、この押し当てた状態を維持しながら縦片部を建物躯体にビス止めする。
このように補強部材を建物躯体にビス止めする際には当該補強部材を下枠に押し当て続けなければならないので補強部材の取付作業性の向上を図り難い。
また、手作業による補強部材の建物躯体への押し当てでは、押し当て状態にバラつきが生じるので、補強部材の取付位置精度を向上させることが困難であり、補強部材の取付位置がズレている場合には下枠の垂下りなどが抑制されなくなるおそれがある。
【０００５】
本発明の目的は、枠アタッチメントの取付作業性および取付位置精度を向上できる枠アタッチメントの取付構造を提供することにある。
【課題を解決するための手段】
【０００６】
本発明の枠アタッチメントの取付構造は、上枠、下枠および左右の縦枠が枠組みされた枠体を備えた建具の前記下枠の下面に沿って配置される枠アタッチメントと、建物躯体に取付可能な仮固定用の治具とによって構成され、前記枠アタッチメントは、前記下枠に係合可能な室外側係合部と、前記室外側係合部よりも室内側に位置した室内側係合部および被ガイド部とを有し、前記治具は、前記室内側係合部が係合される治具係合部と、前記室内側係合部および前記治具係合部が非係合状態となるガイド開始位置側から前記室内側係合部および前記治具係合部が係合状態となるガイド終了位置側に向かって前記被ガイド部を案内するガイド部とを有していることを特徴とする。
【０００７】
本発明の枠アタッチメントの取付構造によれば、仮固定用の治具を建物躯体に取り付け、枠アタッチメントの室外側係合部を下枠に係合し、このように係合した状態で枠アタッチメントの被ガイド部を治具のガイド部に当ててガイド開始位置側からガイド終了位置側に向かって案内することで、室内側係合部を治具係合部に係合する。このようにして、枠アタッチメントを、目視等することなく所定位置に簡単に仮固定でき、ねじによって本固定するまで枠アタッチメントを下枠に押し当て続ける必要をなくすことができて、枠アタッチメントの取付作業性を向上できる。
また、枠アタッチメントを仮固定することで、この枠アタッチメントが下枠に対して位置ズレするおそれをなくすことができるので、取付位置精度をも向上できる。
【０００８】
本発明の枠アタッチメントの取付構造では、前記治具係合部は、前記ガイド部に対して下方に位置していることが好ましい。
このような構成によれば、治具係合部がガイド部に対して下方に位置しているので、枠アタッチメントを室内側に押しても、被ガイド部が治具係合部に干渉することなくガイド部に押し当てることができる。
【０００９】
本発明の枠アタッチメントの取付構造では、前記ガイド部は、室内側に向かって斜め上に傾斜したガイド面を有していることが好ましい。
このような構成によれば、枠アタッチメントの室外側係合部を下枠に係合した状態で枠アタッチメントを室内側に押すことで被ガイド部をガイド面に押し当てられ、当該ガイド面に沿ってガイド開始位置からガイド終了位置に向かって上方に案内され、室内側係合部が治具係合部に係合する。このように枠アタッチメントを簡単に仮固定できる。
【００１０】
本発明の枠アタッチメントの取付構造では、前記被ガイド部は、室内側に向かって斜め上に傾斜した当接片部を有していることが好ましい。
このような構成によれば、室外側係合部が下枠に係合した枠アタッチメントが上下方向に対して傾いた状態で室内側に押された場合に、当接片部がガイド面に直交する角度で当接することを抑制でき、当接片部がガイド面に対してガイド終了位置に向かって滑りやすい角度を維持できる。
【００１１】
本発明の枠アタッチメントの取付構造では、前記枠アタッチメントは、枠アタッチメント本体と、前記枠アタッチメント本体に取り付けられた係合部材とを備え、前記枠アタッチメント本体は、前記被ガイド部および前記室内側係合部を有し、前記係合部材は、前記室外側係合部を有していることが好ましい。
このような構成によれば、枠アタッチメントが室外側係合部、室内側係合部および被ガイド部を有した一つの部材によって構成される場合と比べて、係合部材の枠アタッチメント本体に対する取付位置を設定できるので、各種の下枠に応じて室外側係合部の位置を合わせることができ、汎用性を向上できる。
【発明の効果】
【００１２】
本発明によれば、枠アタッチメントの取付作業性および取付位置精度を向上できる枠アタッチメントの取付構造を提供できる。
【図面の簡単な説明】
【００１３】
【図１】本発明の実施形態に係る取付構造を示す外観姿図。
【図２】前記実施形態に係る取付構造を示す縦断面図。
【図３】前記実施形態に係る取付構造の枠アタッチメントおよび治具を示す斜視図。
【図４】前記実施形態に係る取付構造の枠アタッチメントの取付手順を示す縦断面図。
【図５】本発明の変形例に係る取付構造を示す縦断面図。
【発明を実施するための形態】
【００１４】
［本実施形態の構成］
以下、本発明の実施形態を図面に基づいて説明する。
図１〜３において、本実施形態に係る枠アタッチメントの取付構造１０（以下、取付構造と略称）は、建物躯体２に設置される建具としてのテラスタイプの引き違い窓１を下方から支える枠アタッチメント２０を引き違い窓１および建物躯体２に取り付ける構造である。
引き違い窓１は、上枠３、下枠４および左右の縦枠５が枠組みされた枠体６の内部に２枚の障子７を引き違い可能に配置して構成されている。下枠４の下面４１には、下方に延出しかつ先端部が室内側に折曲した鉤状の枠係合部４２が形成されている。ここで、図に示すＸ、Ｙ、Ｚ軸方向は互いに直交しており、Ｘ軸方向は縦枠５の見付け方向に沿っており、Ｙ軸方向は上枠３および下枠４の見付け方向に沿っており、Ｚ軸方向は引き違い窓１の見込み方向に沿っている。
【００１５】
取付構造１０は、図２，３に示すように、前述した枠アタッチメント２０と、仮固定用の治具３０とによって構成されている。
枠アタッチメント２０は、アルミ押出形材によって形成されている。この枠アタッチメント２０は、上片部２１、下片部２２、室外縦片部２３および室内縦片部２４によって断面矩形状に形成された中空の本体部２５と、室外縦片部２３の上部に連続した室外側係合部２６と、室内縦片部２４の下部に連続した室内側係合部２７と、室内縦片部２４の上部に連続した被ガイド部２８とを有している。室外縦片部２３には、図示しないねじ通し孔が形成されており、このねじ通し孔を通されたねじ８が室内縦片部２４を建物躯体２にねじ止めする。なお、上片部２１および下枠４間には、シール材９が介在されている。
【００１６】
室外側係合部２６は、室外縦片部２３の上部から室外側に延出した延出片部によって形成されている。
室内側係合部２７は、室内縦片部２４の下部から室内側に延出した延出片部２７１と、延出片部２７１の室内端部側から上方に立ち上げられた係合爪部２７２とを有しており、係合爪部２７２の先端にある爪部分は室外側に突出している。
被ガイド部２８は、室内縦片部２４の上部から室内側に延出した延出片部２８１と、延出片部２８１の室内端部に連続した当接片部２８２と、延出片部２８１から上方に突出した突縁部２８３とを有している。当接片部２８２は、延出片部２８１から室内側に向かって斜め上に傾斜している。
【００１７】
治具３０は、枠アタッチメント２０の長手方向に沿って複数配置される樹脂製ピース材によって形成されており、建物躯体２にねじ止めされている。
この治具３０は、室内側係合部２７が係合される治具係合部３１と、室内側係合部２７および治具係合部３１が非係合状態となるガイド開始位置３２から室内側係合部２７および治具係合部３１が係合状態となるガイド終了位置３３まで被ガイド部２８を案内するガイド部３４とを有している。
治具係合部３１は、ガイド部３４から下方に延出し、かつ先端部が室内側に折曲して鉤状に形成されている。ガイド部３４の室外面は、室内側に向かって斜め上に傾斜したガイド面３４１として形成されており、本実施形態では、ガイド面３４１の下縁がガイド開始位置３２とされ、上縁がガイド終了位置３３とされている。
【００１８】
［枠アタッチメントの取付手順］
以下、枠アタッチメント２０を下枠４および建物躯体２に取り付ける取付手順について説明する。
先ず、仮固定用の治具３０を建物躯体２の室外面にねじ止めする。治具３０は、下枠４の長手方向に沿って複数個が設置される。
次に、枠アタッチメント２０を仮固定する。具体的には次の通りである。
枠アタッチメント２０の室外側係合部２６を下枠４の枠係合部４２に係合し、当接片部２８２の先端をガイド面３４１に当接し、図４に示す状態とする。このとき、当接片部２８２の先端は、ガイド開始位置３２およびガイド終了位置３３間でガイド面３４１に当接することとなり、この当接位置が実際にガイド終了位置３３へのガイドを開始する位置となる。なお、ガイド開始位置３２よりも下方の部分に当接片部２８２が当接しても、この当接位置はガイド面３４１から外れた位置となるのでガイドされない。
続いて、枠アタッチメント２０を室内側に押すことで、室外側係合部２６が枠係合部４２に係合した状態のまま、当接片部２８２がガイド面３４１に沿ってガイド終了位置３３に向かって上斜め室内側に案内され、枠アタッチメント２０は枠係合部４２よりも室内側であって下枠４の下面４１に沿った位置に向かって回り込み、室内側係合部２７は治具係合部３１に接近する。そして、室内側係合部２７の係合爪部２７２が治具係合部３１に対して室内側に入り込みながら当該治具係合部３１に係合する。
このように、室外側係合部２６が枠係合部４２に係合し、かつ室内側係合部２７が治具係合部３１に係合した状態とすることで、枠アタッチメント２０を手離し可能に仮固定する。
最後に、図２に示すようにねじ８によって室内縦片部２４を建物躯体２にねじ込むことで、枠アタッチメント２０を本固定する。
【００１９】
［本実施形態の効果］
（１）前記実施形態では、取付構造１０は、上枠３、下枠４および左右の縦枠５が枠組みされた枠体６を備えた引き違い窓１の下枠４の下面４１に沿って配置される枠アタッチメント２０と、建物躯体２に取付可能な仮固定用の治具３０とによって構成され、枠アタッチメント２０は、下枠４に係合可能な室外側係合部２６と、室外側係合部２６よりも室内側に位置した室内側係合部２７および被ガイド部２８とを有し、治具３０は、室内側係合部２７が係合される治具係合部３１と、室内側係合部２７および治具係合部３１が非係合状態となるガイド開始位置３２側から室内側係合部２７および治具係合部３１が係合状態となるガイド終了位置３３側に向かって被ガイド部２８を案内するガイド部３４とを有していることを特徴とする。
上記構成を有するため、仮固定用の治具３０を建物躯体２に取り付け、枠アタッチメント２０の室外側係合部２６を下枠４に係合し、このように係合した状態で枠アタッチメント２０の被ガイド部２８を治具３０のガイド部３４に当ててガイド開始位置３２側からガイド終了位置３３側に向かって案内することで、室内側係合部２７を治具係合部３１に係合する。このようにして、枠アタッチメント２０を、目視等することなく所定位置に簡単に仮固定でき、ねじ８によって本固定するまで枠アタッチメント２０を下枠４に押し当て続ける必要をなくすことができて、枠アタッチメント２０の取付作業性を向上できる。
また、枠アタッチメント２０を仮固定することで、この枠アタッチメント２０が下枠４に対して位置ズレするおそれをなくすことができるので、取付位置精度をも向上できる。
（２）治具係合部３１は、ガイド部３４に対して下方に位置している。このため、治具係合部３１がガイド部３４に対して下方に位置しているので、枠アタッチメント２０を室内側に押しても、被ガイド部２８が治具係合部３１に干渉することなくガイド部３４に押し当てることができる。
（３）ガイド部３４は、室内側に向かって斜め上に傾斜したガイド面３４１を有している。このため、枠アタッチメント２０の室外側係合部２６を下枠４に係合した状態で枠アタッチメント２０を室内側に押すことで被ガイド部２８をガイド面３４１に押し当てられ、当該ガイド面３４１に沿ってガイド開始位置３２からガイド終了位置３３に向かって上方に案内され、室内側係合部２７が治具係合部３１に係合する。このように枠アタッチメント２０を簡単に仮固定できる。
（４）被ガイド部２８は、室内側に向かって斜め上に傾斜した当接片部２８２を有している。このため、室外側係合部２６が下枠４に係合した枠アタッチメント２０が上下方向に対して傾いた状態で室内側に押された場合に、当接片部２８２がガイド面３４１に直交する角度で当接することを抑制でき、当接片部２８２がガイド面３４１に対してガイド終了位置３３に向かって滑りやすい角度を維持できる。
【００２０】
［変形例］
本発明は、以上の実施形態で説明した構成のものに限定されず、本発明の目的を達成できる範囲での変形例は、本発明に含まれる。
例えば、前記実施形態では、枠アタッチメント２０は、一つのアルミ押出形材によって形成されているが、これに限られない。例えば図５に示すように、アルミ押出形材等によって形成された枠アタッチメント本体２０Ａと、枠アタッチメント本体２０Ａに取り付けられた係合部材２６Ａとを備えていてもよい。
枠アタッチメント本体２０Ａは、前述した本体部２５、室内側係合部２７および被ガイド部２８を有している。係合部材２６Ａは、前述した室外側係合部２６を有しており、枠アタッチメント本体２０Ａの室外縦片部２３にねじ止めされている。
このように枠アタッチメント２０を構成した場合には、枠アタッチメント２０が室外側係合部２６、室内側係合部２７および被ガイド部２８を有した一つの部材によって構成される場合と比べて、係合部材２６Ａの枠アタッチメント本体２０Ａに対する取付位置を設定できるので、各種の下枠の枠係合部４２の位置に応じて枠アタッチメント本体２０Ａに取り付ける係合部材２６Ａの種類を選択することができ、当該枠係合部４２に対して室外側係合部２６を位置合わせでき、汎用性を向上できる。
また、例えば、本体部２５および室外側係合部２６を一つの形材とした枠アタッチメント本体と、室内側係合部２７および被ガイド部２８を係合部材として枠アタッチメント本体にねじ止めした枠アタッチメントを構成してもよい。
【００２１】
前記実施形態では、治具係合部３１がガイド部３４に対して下方に位置した治具３０が構成されているが、これに限られず、治具係合部３１がガイド部３４に対して上方に位置した治具を構成してもよい。この場合には、枠アタッチメント２０は、室内側係合部が被ガイド部よりも下方に位置して構成される。
【００２２】
前記実施形態では、ガイド面３４１は、室内側に向かって斜め上に傾斜しているが、これに限られず、室内側係合部２７が治具係合部３１に係合する位置までガイド可能な形状であればよい。
また、前記実施形態では、当接片部２８２は、室内側に向かって斜め上に傾斜しているが、これに限られず、延出片部２８１に沿って延びていてもよい。
前記実施形態では、仮固定用の治具３０は樹脂製であるが、金属製等の他の材料によって形成されていてもよい。
【００２３】
前記実施形態では、枠アタッチメント２０によって支えられて下枠４の垂下り等が抑制される建具として引き違い窓１を説明したが、このほか、引き違い窓以外の各種の窓や戸であってもよい。
【符号の説明】
【００２４】
１…引き違い窓（建具）、１０…取付構造、２…建物躯体、２０…枠アタッチメント、２０Ａ…枠アタッチメント本体、２１…上片部、２２…下片部、２３…室外縦片部、２４…室内縦片部、２５…本体部、２６…室外側係合部、２６Ａ…係合部材、２７…室内側係合部、２７１，２８１…延出片部、２７２…係合爪部、２８…被ガイド部、２８２…当接片部、２８３…突縁部、３…上枠、３０…治具、３１…治具係合部、３２…ガイド開始位置、３３…ガイド終了位置、３４…ガイド部、３４１…ガイド面、４…下枠、４１…下面、４２…枠係合部、５…縦枠、６…枠体、７…障子、８…ねじ、９…シール材。
【図１】
2018178458.tif 000003
【図２】
2018178458.tif 000004
【図３】
2018178458.tif 000005
【図４】
2018178458.tif 000006
【図５】
2018178458.tif 000007